(57)【要約】      （修正有）【課題】携帯態様を容易に変更できる携帯用飲料容器を提供する。【解決手段】適宜な開閉部材（栓体１２）を装着した容器本体１に、各々横軸を突出架設したベルト装着部２２，３２を備えた肩部材２及び底部材３を備え、ベルト装着部間に持ち手用ベルト４を装着してなり、底部材３を容器本体１に対して着脱自在に設けると共に、持ち手用ベルト４をベルト装着部に対して着脱自在に設け、容器本体に底部材と持ち手用ベルトを装着することで、一つの携帯態様を得ることができ、持ち手用ベルト４及び底部材３を取り外し、肩部材のベルト装着部を使用して他の携帯具５を容器本体１に装着して別の携帯態様とすることができる。【選択図】図２
2019195404.tif 000002
【特許請求の範囲】
【請求項１】
適宜な開閉部材を装着した容器本体に、各々横軸を突出架設したベルト装着部を備えた肩部材及び底部材を備え、ベルト装着部間に持ち手用ベルトを装着してなる携帯用飲料容器において、前記底部材を容器本体に対して着脱自在に設けると共に、持ち手用ベルトをベルト装着部に対して着脱自在に設けてなることを特徴とする携帯用飲料容器。
【請求項２】
底部材を、容器本体の底面に被冠装着する軟質樹脂素材で形成すると共に、ベルト装着部をインサート成形で設けてなる請求項１記載の携帯用飲料容器。
【請求項３】
持ち手用ベルトが、ベルト本体とベルト本体の両端に設けた連結具で構成され、前記連結具が、先端部分を横軸に係止可能なＪ状の鉤部に形成し、基端側にベルト連結部を設け、前記鉤部とベルト連結部との間に、基側が接続したコの字状の切込みで形成し、先端縁部分が前記鉤部の開口個所に突出して係止した横軸の抜け止め機能を備えると共に、弾性で後退可能とした弾性爪部を設けてなる請求項１又は２記載の携帯用飲料容器。
【請求項４】
連結具をベルト装着部に装着した際における弾性爪部とベルト装着部の対向面を、連結具の適宜回動時に当接する衝突部に形成してなる請求項３記載の携帯用飲料容器。
【請求項５】
適宜な持ち手部と、肩部材のベルト装着部に連結可能な連結部を備え、容器本体の胴部を被覆する袋状のカバー体を備えた携帯具と組み合わせてなる請求項１記載の携帯用飲料容器。
【発明の詳細な説明】
【技術分野】
【０００１】
本発明は、携帯用飲料容器に関するものである。
【背景技術】
【０００２】
携帯用飲料容器は、携帯に供するために肩部材に装着した吊り紐、肩部材と底部材間を連結するように装着した持ち手・ベルトを備えている。また特に携帯態様の変更を可能とした携帯用飲料容器も提案されている。
【０００３】
例えば特許文献１には、飲料容器に前記した肩部材と底部材間に持ち手・ベルトを架設する他、肩部材と底部材における前記持ち手・ベルトの装着個所に、吊り紐端部の結合部との連結部を設け、吊り紐を着脱自在として携帯態様を変更可能としている。
【０００４】
また携帯用ベルトの装着手段として、容器体側に設けた横軸部にベルト端部を連結装着することが多用されているが、当該装着構造において連結解除を可能としてベルトを着脱自在にすることも知られている。
【０００５】
具体的な構造としては、特許文献２に先端に横軸部に係止する断面Ｊ状の係止爪を備え、基部側にベルト連結部を形成した係止部材と、前記ベルト連結部が挿通され、基部外周に外嵌合されると共に、係止爪の開口個所を塞ぐ突出部を備えたカバー部材で構成し、カバー部材を装着した際に係止部材の基部外周面とカバー部材の内周面に設けた凹凸部が係合し、突出部で係止爪開口個所を塞ぐ着脱構造が開示されている。
【先行技術文献】
【特許文献】
【０００６】
【特許文献１】特開平１０−１９２１５７号公報。
【特許文献２】実開平５−５３５２１号公報。
【発明の概要】
【発明が解決しようとする課題】
【０００７】
携帯用飲料容器において、携帯態様の変更手段として、特許文献１に開示したように、他の携帯部材（吊り紐）を着脱付加する構成は、単に携帯態様の変更手段として追加構成を行ったに過ぎなく、不要な部材もそのままの状態となる。
【０００８】
そこで本発明は単なる追加構成とならずに不要な部材は取り外す携帯態様の変更手段を備えた携帯用飲料容器を提案したものである。併せて持ち手・ベルトの着脱構造も提案したものである。
【課題を解決するための手段】
【０００９】
本発明の請求項１記載に係る携帯用飲料用容器は、適宜な開閉部材を装着した容器本体に、各々横軸を突出架設したベルト装着部を備えた肩部材及び底部材を備え、ベルト装着部間に持ち手用ベルトを装着してなる携帯用飲料容器において、前記底部材を容器本体に対して着脱自在に設けると共に、持ち手用ベルトをベルト装着部に対して着脱自在に設けてなることを特徴とするものである。
【００１０】
而して前記携帯用飲料容器は、容器本体に底部材と持ち手用ベルトを装着することで、一つの携帯態様を得ることができ、持ち手用ベルト及び底部材を取り外し、肩部材のベルト装着部を使用して他の携帯用部材を容器本体に装着して他の携帯態様とすることができる。
【００１１】
また本発明の請求項２記載に係る携帯用飲料用容器は、底部材を、容器本体の底面に被冠装着する軟質樹脂素材で形成すると共に、ベルト装着部をインサート成形で設けてなるもので、底部材の容器本体への着脱を容易に行うことができる。
【００１２】
また本発明の請求項３記載に係る携帯用飲料用容器は、持ち手用ベルトが、ベルト本体とベルト本体の両端に設けた連結具で構成され、前記連結具が、先端部分を横軸に係止可能なＪ状の鉤部に形成し、基端側にベルト連結部を設け、前記鉤部とベルト連結部との間に、基側が接続したコの字状の切込みで形成し、先端縁部分が前記鉤部の開口個所に突出して係止した横軸の抜け止め機能を備えると共に、弾性で後退可能とした弾性爪部を設けてなるもので、弾性爪の後退時に持ち手用ベルトの着脱がなされ、装着時は鉤部からの横軸の離脱を防止している。
【００１３】
また本発明の請求項４記載に係る携帯用飲料用容器は、特に連結具をベルト装着部に装着した際における弾性爪部とベルト装着部の対向面を、連結具の適宜回動時に当接する突出部に形成してなるもので、連結具を回動させて弾性爪部が対向面において当接すると、弾性爪部が後退し、横軸を鉤部から離脱させることができる。
【００１４】
また本発明の請求項５記載に係る携帯用飲料用容器は、適宜な持ち手部と、肩部材のベルト装着部に連結可能な連結部を備え、容器本体の胴部を被覆する袋状のカバー体を備えた携帯具と組み合わせてなるもので、底部材及び持ち手用ベルトを取り外した後にカバー体を装着することで、持ち手用ベルトを使用しない携帯態様とすることができる。
【発明の効果】
【００１５】
本発明の構成は上記のとおりで、肩部材及び底部材間に持ち手用ベルトを装着した携帯態様のほか、底部材及び持ち手用ベルトを取り外して他の携帯態様を選択できる。
【図面の簡単な説明】
【００１６】
【図１】本発明の実施形態の容器本体の全体斜視図。
【図２】同携帯態様の説明図。
【図３】同各部材の分離状態の説明図。
【図４】同底部材の断面図。
【図５】同連結具の斜視図。
【図６】同連結具の装着説明図で（イ）は装着状態（ロ）は分離状態を示す。
【図７】同連結具の動作状態の説明図で（イ）は使用時（ロ）は分離時を示す。
【発明を実施するための形態】
【００１７】
次に本発明の実施形態について説明する。図示した実施形態における第一の携帯態様は、容器本体１と肩部材２と底部材３と持ち手用ベルト４で構成される。
【００１８】
容器本体１は、縦長の胴部１１の肩部に肩部材２を固着し開口部に適宜な栓体（図示例は直飲式の開閉栓）１２を装着したものである。
【００１９】
肩部材２は、輪状本体２１にベルト装着部２２を設けて、胴部１１の上方に適宜な手段で固着したものである。
【００２０】
ベルト装着部２２は、輪状本体２１から径外方向に突出させた一対の腕板部２２１間に横軸２２２を架設し、更に横軸２２２の下方の輪状本体２１の外周面に突出受部（衝突部）２２３を設けたものである。
【００２１】
底部材３は、容器本体１の胴部１１の底面に被冠装着する扁平容器状本体３１を軟質樹脂素材（シリコンゴム、熱可塑性エラストマ等）で形成し、ベルト装着部３２を硬質樹脂材で形成するもので、前記ベルト装着部３２は、基板部３２１から径外方向に突出させた一対の腕板部３２２間に横軸３２３を架設し、更に横軸３２３の上方箇所の基板部３２１に突出受部（衝突部）３２４を設けてなり、前記基板部３２１が扁平容器状本体３１の形成時のインサート成形で両者を一体化するものである。
【００２２】
持ち手用ベルト４は、ベルト本体４１と、ベルト本体４１の両端に設けた連結具４２で構成され、ベルト本体４１は、周知の物でベルト４１１とハンドルカバー４１２と長さ調整具４１３からなる。
【００２３】
連結具４２は、先端部分を横軸２２２，３２３に係止可能なＪ状の鉤部４２１に形成し、基端側に長孔状のベルト連結部４２２を設け、前記鉤部４２１とベルト連結部４２２との間に弾性爪部４２３を設けたものである。
【００２４】
この弾性爪部４２３は、基側をベルト連結部４２２に接続したコの字状の切込みで形成して適宜な弾性を備えるようにしたもので、特にその先端縁４２３ａは鉤部４２１の開口個所に突出して係止した横軸２２２，３２３の抜け止め機能を備える。更に前記した突出受部（衝突部）２２３，３２４と対面する箇所に突出部（衝突部）４２３ｂを設けたものである。
【００２５】
而して前記携帯用飲料容器は。肩部材２を固着した容器本体１に、底部材３と持ち手用ベルト４を装着することで、一つの携帯態様を得ることができる。
【００２６】
底部材３の装着は、胴部１１の底面に、ベルト装着部３２が肩部材のベルト装着部２２と対応させて被冠装着する。
【００２７】
持ち手用ベルト４の装着は、ベルト本体４１の両端に接続連結した連結具４２の鉤部４２１をベルト装着部２２，３２の各横軸２２２，３２３に係止して行うもので、鉤部４２１の開口箇所の下方に横軸２２２，３２３を位置させて、横軸２２２，３２３で弾性爪部４２３を押し込むと、鉤部４２１内に横軸２２２，３２３が侵入可能となり係止することができる。
【００２８】
従って底部材３及び持ち手用ベルト４の装着で、持ち手用ベルト４を使用した携帯態様となる。特に持ち手用ベルト４は横軸２２２，３２３が弾性爪部４２３の先端縁４２３ａによって鉤部４２１から抜出ないようにしているので、携帯使用時に持ち手用ベルト４がベルト装着部２２，３２から外れるようなことが無い（図６イ，図７イ）。
【００２９】
また持ち手用ベルト４をベルト装着部２２，３２から取り外す場合は、図７（ロ）に示すように、連結具４２を回動してベルト連結部４２２の部分を胴部１１方向に押し込むと、突出部（衝突部）４２３ｂが突出受部（衝突部）２２３，３２４と当接して弾性爪部４２３が後退し、そのまま連結具４２を先方に移動させると、鉤部４２１の開口個所から横軸２２２，３２３から離脱し、持ち手用ベルト４が取り外される。
【００３０】
底部材３及び持ち手用ベルト４を取り外した状態で、他の携帯具５を使用することで別の携帯態様とすることができる。
【００３１】
例えば図２（ロ）に示すように、携帯具５が帆布製で、容器本体１の胴部１１を被覆するカバー体５１を備えると共に、前記カバー体５１に適宜な持ち手５２を設け、肩部材２のベルト装着部２２と対応する位置に、横軸２２２で折返して面ファスナーで絡着する帯状の連結部５３を形成したものを、適宜容器本体１に装着することで所定の携帯態様とすることができる。
【符号の説明】
【００３２】
１      容器本体
１１    胴部
１２    栓体
２      肩部材
２１    輪状本体
２２    ベルト装着部
２２１    腕板部
２２２    横軸
２２３    突出受部（衝突部）
３      底部材
３１    扁平容器状本体
３２    ベルト装着部
３２１    基板部
３２２    腕板部
３２３    横軸
３２４    突出受部（衝突部）
４      持ち手用ベルト
４１    ベルト本体
４１１    ベルト
４１２    ハンドルカバー
４１３    長さ調整具
４２    連結具
４２１    鉤部
４２２    ベルト連結部
４２３    弾性爪部
４２３ａ  先端縁
４２３ｂ  突出部（衝突部）
５      携帯具
５１    カバー体
５２    持ち手
５３    連結部
【図１】
2019195404.tif 000003
【図２】
2019195404.tif 000004
【図３】
2019195404.tif 000005
【図４】
2019195404.tif 000006
【図５】
2019195404.tif 000007
【図６】
2019195404.tif 000008
【図７】
2019195404.tif 000009